(57)【要約】【課題】着用のたびにウエスト寸法が把握でき、おむつのサイズ選びを容易にする。【解決手段】外装シート２０の非肌面側のウエスト部に、肌面側のギャザー押さえシート２１Ａを非肌面側に折り返した帯状シートの上下部をそれぞれおむつ周方向に沿って接合部３３、３３で接合して形成されたウエストバンド３１と、一端が前記ウエストバンド３１の内部に挿入されるとともに前記外装シート２０に固定され、他端が前記ウエストバンド３１の外部に延在したメジャー部材３２とが設けられ、おむつ着用後に前記メジャー部材３２の外部延在部分３２ａを引っ張って、おむつのウエスト部を着用者の腹回りにフィットさせることにより、着用者のウエスト寸法が測定可能としてある。【選択図】図１
2010194229.tif 000002
【特許請求の範囲】
【請求項１】
外装シートの前身頃と後身頃とが両側端の接合縁部において接合されることによりウエスト開口部及び左右一対のレッグ開口部が形成されたパンツ型使い捨ておむつにおいて、
前記外装シートの非肌面側のウエスト部に、帯状シートの上下部をそれぞれおむつ周方向に沿って接合して形成されたウエストバンドと、一端が前記ウエストバンドの内部に挿入されるとともに前記外装シートに固定され、他端が前記ウエストバンドの外部に延在したメジャー部材とが設けられ、おむつ着用後に前記メジャー部材の外部延在部分を引っ張って、おむつのウエスト部を着用者の腹回りにフィットさせることにより、着用者のウエスト寸法が測定可能としてあることを特徴とするパンツ型使い捨ておむつ。
【請求項２】
前記外装シートは、非肌面側のバックシートと肌面側のギャザー押さえシートとの間に、前身頃及び後身頃のそれぞれの領域において、ウエスト部及び胴周り部に沿って多数の弾性伸縮部材を配設して構成され、
前記ウエストバンドは、前記ギャザー押さえシートをウエスト開口部から前記バックシートの非肌面側に折り返し、この折り返した帯状シートの上下部をそれぞれおむつ周方向に沿って接合して形成されている請求項１記載のパンツ型使い捨ておむつ。
【請求項３】
前記ウエストバンドは、前記外装シートの非肌面側のウエスト部に、おむつ周方向に沿って帯状の不織布を配設し、その上下部をそれぞれおむつ周方向に沿って接合して形成されている請求項１記載のパンツ型使い捨ておむつ。
【請求項４】
前記ウエストバンドの内部に、おむつ周方向に沿って目盛り線、文字及び図形の内のいずれか又は組合せからなる目盛りが備えられ、前記メジャー部材が前記目盛りを覆うように配設されるとともに、前記メジャー部材に、着用者のウエスト寸法に応じた前記目盛りが前記ウエストバンドを透過して外部から視認可能とされる開口部が設けられることにより、着用者のウエスト寸法が測定可能としてある請求項１〜３いずれかに記載のパンツ型使い捨ておむつ。
【請求項５】
前記メジャー部材に、おむつ周方向に沿って目盛り線、文字及び図形の内のいずれか又は組合せからなる目盛りが備えられ、前記メジャー部材の外部延在部分と前記ウエストバンドへの挿入部分との境界位置において、着用者のウエスト寸法に応じた前記目盛りを読み取ることにより、着用者のウエスト寸法が測定可能としてある請求項１〜３いずれかに記載のパンツ型使い捨ておむつ。
【請求項６】
前記メジャー部材の外部延在部分には、おむつ外面に対して着脱可能な接合手段が設けられている請求項１〜５いずれかに記載のパンツ型使い捨ておむつ。
【請求項７】
前記メジャー部材は、取り外し可能に設けられている請求項１〜６いずれかに記載のパンツ型使い捨ておむつ。
【発明の詳細な説明】
【技術分野】
【０００１】
本発明は、着用者のウエスト寸法が測定可能な寸法測定構造を備えることにより、着用のたびにウエスト寸法が測定でき、おむつのサイズ選びを容易にしたパンツ型使い捨ておむつに関する。
【背景技術】
【０００２】
従来より、テープ式の使い捨ておむつでは、製品腹側のテープ止着部分に目盛りが表示してあり、使い捨ておむつを着用するたびに着用者のウエスト寸法と使い捨ておむつのサイズとが適合しているか判りやすくなっている。
【０００３】
例えば、下記特許文献１には、このテープ式の使い捨ておむつと同じ要領で、着用者の臍近傍腹周囲より大きい周長を有する筒型シャツ本体と、筒型シャツ本体の臍近傍腹周囲に、水平周長方向に沿って目盛りと始点を設けたメジャーと、を備え、始点を目盛りに合わせることで、着用者の臍近傍腹周囲長の測定可能なメタボリック症候群用筒型シャツが開示されている。
【先行技術文献】
【特許文献】
【０００４】
【特許文献１】実用新案登録第３１４４２９１号
【発明の概要】
【発明が解決しようとする課題】
【０００５】
しかしながら、パンツ型の使い捨ておむつの場合、テープ式のようなテープ止着部分に表示した目盛りを利用した寸法測定機能を備えることができないため、着用者の寸法に使い捨ておむつのサイズが適合しているか判別するのが困難である。使い捨ておむつのパッケージなどに、適応体型の寸法（ウエスト寸法の適応範囲など）が記載されている場合があるが、幼児のウエスト寸法を測定する機会はあまりないため、実際に適応範囲内であるのかが判別しにくく、使い捨ておむつのサイズ選びが適性に行われない場合がある。体重を目安にした場合でも、幼児によって体型が異なるため、ウエスト寸法が合わないこともある。
【０００６】
また、おむつサイズの選定ミスによって、ウエスト寸法などが合わないために、漏れやズレが生じて、おむつ本来の機能が発揮できない場合がある。さらに、パンツ型使い捨ておむつの場合、前身頃及び後身頃の周方向に配設された複数の弾性伸縮部材の伸縮力によってウエスト周りを身体にフィットさせているが、フィット性が不十分なために漏れが生じる場合があり、より締付力を高めて、ウエスト周りのフィット性を向上させることが望まれていた。
【０００７】
そこで本発明の第１の課題は、着用者のウエスト寸法が測定可能な寸法測定構造を備えることにより、着用のたびにウエスト寸法が把握でき、サイズ選びを容易にしたパンツ型使い捨ておむつを提供することにある。また第２の課題は、おむつの漏れやズレの防止を図ったパンツ型使い捨ておむつを提供することにある。
【課題を解決するための手段】
【０００８】
前記課題を解決するために請求項１に係る本発明として、外装シートの前身頃と後身頃とが両側端の接合縁部において接合されることによりウエスト開口部及び左右一対のレッグ開口部が形成されたパンツ型使い捨ておむつにおいて、
前記外装シートの非肌面側のウエスト部に、帯状シートの上下部をそれぞれおむつ周方向に沿って接合して形成されたウエストバンドと、一端が前記ウエストバンドの内部に挿入されるとともに前記外装シートに固定され、他端が前記ウエストバンドの外部に延在したメジャー部材とが設けられ、おむつ着用後に前記メジャー部材の外部延在部分を引っ張って、おむつのウエスト部を着用者の腹回りにフィットさせることにより、着用者のウエスト寸法が測定可能としてあることを特徴とするパンツ型使い捨ておむつが提供される。
【０００９】
上記請求項１記載の発明では、前記外装シートの非肌面側のウエスト部に、帯状シートの上下部をそれぞれおむつ周方向に沿って接合して形成されたウエストバンドと、一端が前記ウエストバンドの内部に挿入されるとともに前記外装シートに固定され、他端が前記ウエストバンドの外部に延在したメジャー部材とを設け、おむつ着用後に前記メジャー部材の外部延在部分を引っ張って、おむつのウエスト部を着用者の腹回りにフィットさせることにより、着用者のウエスト寸法が測定可能としてあるため、着用者のウエスト寸法がおむつを着用するたびに簡単に把握でき、おむつのサイズ選びが容易に行えるようになる。
【００１０】
また、このように着用者のウエスト寸法に適合したサイズのおむつが選定できるため、おむつサイズの選定ミスによる漏れやズレを防止でき、おむつ本来の機能が発揮できるようになる。
【００１１】
請求項２に係る本発明として、前記外装シートは、非肌面側のバックシートと肌面側のギャザー押さえシートとの間に、前身頃及び後身頃のそれぞれの領域において、ウエスト部及び胴周り部に沿って多数の弾性伸縮部材を配設して構成され、
前記ウエストバンドは、前記ギャザー押さえシートをウエスト開口部から前記バックシートの非肌面側に折り返し、この折り返した帯状シートの上下部をそれぞれおむつ周方向に沿って接合して形成されている請求項１記載のパンツ型使い捨ておむつが提供される。
【００１２】
上記請求項２記載の発明は、前記ウエストバンドの第１の形態例であり、前記ギャザー押さえシートをウエスト開口部から前記バックシートの非肌面側に折り返し、この折り返した帯状シートの上下部をそれぞれおむつ周方向に沿って接合することにより形成したものである。このため、構造が単純で、資材及び製造工程を簡略化することができる。
【００１３】
請求項３に係る本発明として、前記ウエストバンドは、前記外装シートの非肌面側のウエスト部に、おむつ周方向に沿って帯状の不織布を配設し、その上下部をそれぞれおむつ周方向に沿って接合して形成されている請求項１記載のパンツ型使い捨ておむつが提供される。
【００１４】
上記請求項３記載の発明は、前記ウエストバンドの具体的な第２の形態例であり、前記外装シートの非肌面側のウエスト部に、おむつ周方向に沿って帯状の不織布を配設し、その上下部をそれぞれおむつ周方向に沿って接合することにより形成したものである。このため、従来のパンツ型使い捨ておむつにも容易に適用可能となる。
【００１５】
請求項４に係る本発明として、前記ウエストバンドの内部に、おむつ周方向に沿って目盛り線、文字及び／図形の内のいずれか又は組合せからなる目盛りが備えられ、前記メジャー部材が前記目盛りを覆うように配設されるとともに、前記メジャー部材に、着用者のウエスト寸法に応じた前記目盛りが前記ウエストバンドを透過して外部から視認可能とされる開口部が設けられることにより、着用者のウエスト寸法が測定可能としてある請求項１〜３いずれかに記載のパンツ型使い捨ておむつが提供される。
【００１６】
上記請求項４記載の発明は、ウエスト寸法の測定手段について具体的な構成を規定したものである。すなわち、前記ウエストバンドの内部に、おむつ周方向に沿って目盛り線、文字及び／図形の内のいずれか又は組合せからなる目盛りを備え、前記メジャー部材が前記目盛りを覆うように配設されるとともに、前記メジャー部材に、着用者のウエスト寸法に応じた前記目盛りが前記ウエストバンドを透過して外部から視認可能とされる開口部を設けることにより、着用者のウエスト寸法を測定可能としたものである。このため、おむつ着用後にメジャー部材の外部延在部分を引っ張って、おむつのウエスト部を着用者の腹回りにフィットさせた位置において、前記メジャー部材の開口部から視認される目盛りを読み取ることにより、容易に着用者のウエスト寸法を測定できる。
【００１７】
請求項５に係る本発明として、前記メジャー部材に、おむつ周方向に沿って目盛り線、文字及び／図形の内のいずれか又は組合せからなる目盛りが備えられ、前記メジャー部材の外部延在部分と前記ウエストバンドへの挿入部分との境界位置において、着用者のウエスト寸法に応じた前記目盛りを読み取ることにより、着用者のウエスト寸法が測定可能としてある請求項１〜３いずれかに記載のパンツ型使い捨ておむつが提供される。
【００１８】
上記請求項５記載の発明は、ウエスト寸法の測定手段について具体的な他の構成を規定したものである。すなわち、前記メジャー部材に、おむつ周方向に沿って目盛り線、文字及び／図形の内のいずれか又は組合せからなる目盛りを備え、前記メジャー部材の外部延在部分と前記ウエストバンドへの挿入部分との境界位置において、着用者のウエスト寸法に応じた前記目盛りを読み取ることにより、着用者のウエスト寸法を測定可能としたものである。このため、おむつ着用後にメジャー部材の外部延在部分を引っ張って、おむつのウエスト部を着用者の腹回りにフィットさせた位置において、前記メジャー部材の外部延在部分とウエストバンドへの挿入部分との境界位置における目盛りを読み取ることにより、容易に着用者のウエスト寸法を測定できる。
【００１９】
請求項６に係る本発明として、前記メジャー部材の外部延在部分には、おむつ外面に対して着脱可能な接合手段が設けられている請求項１〜５いずれかに記載のパンツ型使い捨ておむつが提供される。
【００２０】
上記請求項６記載の発明は、特に上記第２の課題を解決するためになされたものであり、前記メジャー部材の外部延在部分に、おむつ外面に対して着脱可能な接合手段を設けたものである。これにより、着用者のウエスト寸法測定後にメジャー部材をおむつ外面に接合させることにより、ウエスト部のフィット性が向上し、ウエスト周りからの漏れが確実に防止できるようになる。また、着用中にメジャー部材が邪魔にならずに済むようにもなる。
【００２１】
請求項７に係る本発明として、前記メジャー部材は、取り外し可能に設けられている請求項１〜６いずれかに記載のパンツ型使い捨ておむつが提供される。
【００２２】
上記請求項７記載の発明は、前記メジャー部材を取り外し可能としたものである。前記メジャー部材による計測を終えた後は不要であるため取り外し可能としてもよい。
【発明の効果】
【００２３】
以上詳説のとおり本発明によれば、着用者のウエスト寸法が測定可能な寸法測定構造を備えることにより、着用のたびにウエスト寸法が把握でき、サイズ選びが容易になるとともに、おむつの漏れやズレを防止することができる。
【図面の簡単な説明】
【００２４】
【図１】本発明に係るパンツ型使い捨ておむつ１の製品状態外観図である。
【図２】その肌面側の展開図である。
【図３】図１の非肌面側の展開図である。
【図４】図２のIV−IV線矢視図である。
【図５】図２のＶ−Ｖ線矢視図である。
【図６】製品状態における図２のIV−IV線矢視図である。
【図７】吸収性本体１０と外装シート２０との分解斜視図である。
【図８】外装シート２０の展開図である。
【図９】第１形態例に係る図３のIX−IX線矢視図である。
【図１０】他の形態の測定手段を示すおむつ１の製品状態外観図である。
【図１１】パンツ型使い捨ておむつ１の装着状態を示す外観図である。
【図１２】第２形態例に係る図３のIX−IX線矢視図である。
【発明を実施するための形態】
【００２５】
以下、本発明の実施の形態について図面を参照しながら詳述する。なお、本発明における「おむつ長手方向」とは、おむつの腹側と背側を結ぶ方向（おむつ展開時の前後方向）を意味し、「おむつ幅方向」及び「おむつ周方向」とは、前記おむつ長手方向と直交する方向（おむつ展開時の左右方向）を意味する。なお、図面の所要部位において接着部位を×印で明示している。
【００２６】
本発明に係るパンツ型使い捨ておむつ１（以下、単におむつという。）は、不織布などからなる透液性の表面シート１１と、ポリエチレン等からなる裏面シート１２との間に、綿状パルプなどからなる吸収体１３を介在させた吸収性本体１０と、この吸収性本体１０と一体的に接合され、少なくとも前身頃Ｆと後身頃Ｂとを構成するとともに、前身頃Ｆ及び後身頃Ｂのそれぞれの領域におむつ長手方向に離隔して配置され、上層不織布及び下層不織布の間にウエスト部及び胴周り部に沿って多数の弾性伸縮部材が配置された外装シート２０とから構成されている。そして、前記外装シート２０の前身頃Ｆと後身頃Ｂとが両側部のサイドシール部４０、４０において接合されることにより、ウエスト開口部ＷＯ及び左右一対のレッグ開口部ＬＯ、ＬＯが形成されたパンツ型となっている。
【００２７】
本発明に係るおむつ１では、外装シート２０の前身頃Ｆに対して非肌面側のウエスト部に、帯状シートの上下部をそれぞれおむつ周方向に沿って接合することにより周方向に開口するウエストバンド３１と、一端がウエストバンド３１の内部に挿入されるとともに前記外装シート２０に固定され、他端がウエストバンド３１の外側に延在した帯状のメジャー部材３２とからなる測定構造３０が設けられ、おむつ着用後に前記メジャー部材３２の外部延在部分３２ａを引っ張って、おむつ１のウエスト部を着用者の腹回りにフィットさせることにより、着用者のウエスト寸法が測定可能な構造となっている。
【００２８】
以下、前記吸収性本体１０、外装シート２０及び測定構造３０について順に説明する。
（吸収性本体１０について）
先ず最初に、吸収性本体１０の構造の一例について図２〜図７に基づいて詳述する。
【００２９】
吸収性本体１０は、前述したように、不織布などからなる透液性の表面シート１１と、ポリエチレン等からなる裏面シート１２との間に、綿状パルプ等の繊維集合体と高吸収性ポリマー等の高吸収材などからなる吸収体１３を介在させた構造とされ、体液を吸収保持するものである。前記吸収体１３は、坪量が５０〜６００ｇ／ｍ２程度が好ましく、３００〜５００ｇ／ｍ２程度がより好ましい。
【００３０】
前記高吸収性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸収性ポリマーは製造プロセスにおいて、架橋密度および架橋密度勾配を調整することにより吸水力（吸収倍率）と吸水速度の調整が可能である。前記吸収体１３における高吸収性ポリマーの含有比率は、３０〜７０％程度が適当であるが、これに限るものではない。また、図示例では脚周りへの当たりを和らげるために両側部に夫々括れ部を有する平面形状を略砂時計状とされているが、略方形状として成形されたものを使用することもでき、いずれの場合もその幅寸法は股間部への当たりによって着用者にゴワ付き感を与えない寸法幅とされている。
【００３１】
前記吸収体１３は、被包シート１４によって囲繞されている。被包シート１４は、ティシュー等の紙材あるいは不織布等の透液性のシートを用いることができる。厚みは０．０５〜０．５ｍｍ程度が好ましく、０．０５〜０．２ｍｍ程度がより好ましい。坪量は５〜２５ｇ／ｍ２程度が好ましく、５〜１５ｇ／ｍ２程度がより好ましい。不織布を用いる場合は、スパンボンド法やＳＭＳ法により加工された不織布、特にＳＭＳ法により加工された不織布が、薄さと強度のバランスに優れる点で好適である。なお、被包シート１４は、少なくとも吸収体１３の表面側（肌当接面側）の面が撥水性でなければシートの親水度は特に問わない。
【００３２】
前記吸収体１３の表面側（肌当接面側）を覆う透液性の表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、ＳＭＳ法、サーマルボンド法、エアスルー法、ポイントボンド法、メルトブローン法、ニードルパンチ法等の適宜の加工法によって得られた不織布を用いることができる。特には、スパンボンド法やＳＭＳ法により加工された不織布が薄さと強度のバランスに優れる点で好適であり、エアスルー法により加工された不織布は低坪量でも吸収が速やかでかつドライタッチ性に優れるため好適である。これらは１層からなるシートでも２層以上（同一種類あるいは複数種類）からなるシートでもよいが、合計の坪量としては、１０〜４０ｇ／ｍ２が好ましく、１０〜２２ｇ／ｍ２がより好ましく、１０〜１５ｇ／ｍ２が特に好ましい。厚みは１ｍｍ以下が好ましく、０．５ｍｍ以下がより好ましく、０．３ｍｍ以下が特に好ましい。表面シート１１に多数の透孔を形成した場合には、尿などが速やかに吸収されるようになり、ドライタッチ性に優れたものとなる。前記表面シート１１は、吸収体１３の側縁部を巻き込んで吸収体１３の裏面側まで延在している。
【００３３】
前記吸収体１３の裏面側（非肌当接面側）を覆う裏面シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。具体的には、JIS Z0208に準じて測定された透湿度が３０００〜１２０００g/m2・24hr、好ましくは６０００〜１２０００g/m2・24hr、より好ましくは８０００〜１２０００g/m2・24hrの不透液性シートを使用するのが望ましい。
【００３４】
一方、立体ギャザーＢＳを形成するギャザー不織布１５は、折返しによって二重シートとした不織布が用いられ、前記表面シート１１によって巻き込まれた吸収体１３の側縁部をさらにその上側から巻き込んで吸収体１３の裏面側まで延在して接着されている。より具体的には、前記ギャザー不織布１５は、おむつの長手方向中間部では、立体ギャザーＢＳ形成部分を残し、幅方向中間部から吸収体１３の裏面側に亘る範囲がホットメルト接着剤等によって接着され、また長手方向前後端部では、前記幅方向中間部から一方側端縁までの区間が吸収体１３の裏面側に亘る範囲で接着されるとともに、前記立体ギャザーＢＳを形成する部分を吸収体１３の上面部にて折り畳むようにしながらホットメルト接着剤等により接着している。
【００３５】
前記二重シート不織布によって形成されたギャザー不織布１５の内部には、図４に示されるように、起立先端側部分に複数本の糸状弾性伸縮部材１６、１６…が配設されるとともに、吸収性本体１０の側縁部近傍部位に糸状弾性伸縮部材１７が配設され、さらに吸収体１３の裏面がわ側部に糸状弾性伸縮部材１８が夫々配設されている。前記先端部弾性伸縮部材１６、１６…は、主にはその弾性伸縮力により吸収体側縁部より突出する不織布部分を起立させて立体ギャザーＢＳを形成するためのものであり、前記糸状弾性伸縮部材１７、１８は、主にその弾性伸縮力により図６の製品状態図に示されるように、吸収性本体１０の側部を屈曲させ、吸収体１３の側部を起立端として立体ギャザーＢＳの基端側部分を構成するためのものである。
【００３６】
前記糸状弾性伸縮部材１７としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９４０dtex以下、テンション（伸張率）は150〜350％として配設するのがよい。なお、糸状弾性伸縮部材に代えて、ある程度の幅を有するテープ状弾性伸縮部材を用いるようにしてもよい。
【００３７】
前述のギャザー不織布１５を構成する素材繊維も前記表面シート１１と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、ＳＭＳ法、サーマルボンド法、エアスルー法、ポイントボンド法、メルトブローン法、ニードルパンチ法等の適宜の加工方法によって得られた不織布を用いることができる。具体的には、不織布の加工方法としてはスパンボンド法やＳＭＳ法によるものが薄さと強度のバランスに優れる点で好適であり、坪量としては、８〜３０ｇ／ｍ２が好ましく、１０〜２２ｇ／ｍ２がより好ましく、１０〜１５ｇ／ｍ２が特に好ましい。厚みは０．５ｍｍ以下が好ましく、０．３ｍｍ以下がより好ましく、０．２ｍｍ以下が特に好ましい。さらに前記ギャザー不織布１６については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いても良い。
【００３８】
（外装シート２０について）
前記外装シート２０は、不織布などからなる肌面側のギャザー押さえシート２１Ａと非肌面側のバックシート２１Ｂと、その間の前身頃側シャーリングゾーンＫ１及び後身頃側シャーリングゾーンＫ２にそれぞれ、ウエスト部２３の上下方向に間隔をおいておむつ幅方向に沿って伸長下で配置固定されたウエスト部弾性伸縮部材２４、２４…と、胴周り部２５の上下方向に間隔をおいておむつ幅方向に沿って伸長下で配置固定された複数の胴回り弾性伸縮部材２６、２６…とを備えている。また、おむつ中間両側部に相当する部位に、夫々脚部開口を形成するための凹状の脚回りライン２９、２９が形成されている。前記ギャザー押さえシート２１Ａは、図示例では、少なくとも前記前身頃側シャーリングゾーンＫ１及び後身頃側シャーリングゾーンＫ２を覆う範囲にそれぞれ設けられ、その中間ゾーンＭには設けられていないが、前身頃から後身頃にかけて一体的に設けるようにしてもよい。
【００３９】
前記ギャザー押さえシート２１Ａとバックシート２１Ｂとは、少なくとも弾性伸縮部材を配置するシャーリングゾーンＫ１、Ｋ２の実質的に全面に亘って、ホットメルト接着剤等で接着されていることが好ましい。そうすることで、弾性伸縮部材を細かく切断する場合は、弾性伸縮部材の断片がシート間を移動することがなくなるため、好ましい。また、弾性伸縮部材の固定をさらに確実にするために、コントロールシーム塗布、オメガ塗布又はシュアラップ塗布といった、公知の直接塗布方式により弾性伸縮部材の周面にホットメルト接着剤を塗布し、接着力を強化しても良い。接着力を強化しすぎると、細かく切断された弾性伸縮部材が外装シートを細かく収縮させ、外観を損ねることがある。そのような場合には、接着力を強化する必要がある部位のみ、弾性伸縮部材にホットメルト接着剤を直接塗布すれば良い。
【００４０】
さらに、図示例では前記外装シート２０が前身頃から後身頃にかけて一体的に形成されているが、前身頃と後身頃の少なくとも前記シャーリングゾーンＫ１、Ｋ２において後身頃用外装シートと前身頃用外装シートとが分割して設けられるようにしてもよい。この場合後身頃用外装シートと前身頃用外装シートの間の股間部において、前記吸収性本体１０の外面に股間部外装シートを配設することが好ましい。この場合、前記股間部用外装シートは、後身頃用外装シート及び前身頃用外装シートのバックシートと同じ素材のものを用いるようにする。これにより、前記股間部用外装シートと、後身頃用外装シート及び前身頃用外装シートとの境界が目立たなくなる。また、前記股間部用外装シートは、後身頃用外装シート及び前身頃用外装シートのバックシートと異なる素材のものを用いるようにしてもよい。股間部に位置する前記股間部用外装シートは、着用者の股の間で擦れることが多いため、前後身頃のシートよりも柔軟性、耐摩耗性に優れた不織布素材を用いることが好ましい。前記股間部用外装シートの耐摩耗性を向上するためには、股間部用外装シートの外面側からエンボスを施すことにより、股間部用外装シートと裏面シート１２との一体化を図るようにすることができる。股間部用外装シートは前記吸収性本体１０の全長にわたって設けてもよいが、離隔して配置されている後身頃用外装シートと前身頃用外装シートとを連結するように、股間部のみに設けるのが好ましい。
【００４１】
前記ギャザー押さえシート２１Ａ及びバックシート２１Ｂの構成素材としては、ポリエチレンまたはポリプロピレン等のオレフィン系、ポリエステル系、ポリアミド系等の合成繊維の他、レーヨンやキュプラ等の再生繊維、綿等の天然繊維を用い、スパンボンド法、サーマルボンド法、メルトブローン法、ニードルパンチ法等の適宜の加工方法にて得られた不織布を用いることができる。また、融点の高い繊維を芯とし融点の低い繊維を鞘とした芯鞘型のバイコンポーネント不織布やサイドバイサイド型繊維、分割型繊維などの複合繊維による不織布を用いることができる。前記バイコンポーネント不織布は、熱融着性に優れたものとすることができるため好ましい。
【００４２】
（測定構造３０について）
次に、前記測定構造３０について具体的に説明する。測定構造３０は、ウエストバンド３１の構成によって、以下の２つの形態例のいずれかとすることができる。
【００４３】
〔第１形態例〕
第１形態例に係る測定構造３０では、図１及び図９に示されるように、前記ウエストバンド３１が、前身頃側のギャザー押さえシート２１Ａをウエスト開口部ＷＯからバックシート２１Ｂの非肌面側に折り返し、この折り返し部２１Ａ’の上下部をそれぞれおむつ周方向に沿う接合部３３、３３で接合することにより周方向に開口して形成されている。そして、その内部には帯状の前記メジャー部材３２の一端が挿入されるとともに、この一端が外装シート２０に固定部３４で固定され、その他端がウエストバンド３１の外部にまで延在して設けられている。
【００４４】
前記測定構造３０の各部のおむつ長手方向に対する相対的寸法について、図１及び図９に基づいて詳述すると、前記ギャザー押さえシート２１Ａの非肌面側への折り返し部２１Ａ’のおむつ長手方向長さｂは、ウエスト開口部ＷＯから吸収性本体１０の長手方向端部までの長さａより短くする。また、ウエスト開口部ＷＯから下側の接合部３３の外縁までの長さｃは、前記折り返し部２１Ａ’の長さｂと同等以下とする。前記接合部３３、３３は、折り返し部２１Ａ’においておむつ長手方向に間欠する間欠幅ｄで設けられ、前記メジャー部材３２は、その間欠幅ｄより狭い幅ｅの帯状に形成されている（メジャー部材３２の幅ｅ＜間欠幅ｄ）。
【００４５】
ここで、ウエスト寸法の測定手段についてより詳細に説明すると、図１及び図９に示されるように、ウエストバンド３１の内部には、おむつ周方向に沿って目盛り線、文字及び／図形の内のいずれか又は組合せなどからなる目盛り３６が備えられた寸法表示用シート３５が前記バックシート２１Ｂの非肌面側に接合されている。そして、この寸法表示用シート３５を非肌面側から覆うように前記メジャー部材３２が配設されるとともに、このメジャー部材３２には、着用者のウエスト寸法に応じた前記目盛り３６がウエストバンド３１を透過して外部から視認可能とされる開口部３２ｂが設けられている。これにより、おむつ着用後に前記メジャー部材３２の外部延在部分３２ａを引っ張って、おむつのウエスト部を着用者の腹回りにフィットさせることにより、前記開口部３２ｂから着用者のウエスト寸法に応じた目盛り３６が視認でき、着用者のウエスト寸法を測定することができるようになっている。
【００４６】
前記目盛り３６としては、図示例のようにウエスト寸法を数値で「○○ｃｍ」などとしたものが好ましいが、所定のウエスト寸法領域を「１」「２」「３」などの番号や動物などの図形で表示したもの、おむつの適合範囲内のウエスト寸法であると笑顔のマーク、範囲外であると泣き顔のマークなどで表示したもの、適合範囲外に近づくと「そろそろＬサイズ」などおむつのサイズ変更を知らせるメッセージなどを表示したものとしてもよい。また、目盛り３６は、前記寸法表示用シート３５に印刷又は貼付することにより備えられている。さらに、前記目盛り３６は、図示例では前記寸法表示用シート３５に備えられるようにしたが、これに代えて前記バックシート２１Ｂの非肌面側に直接備えるようにしてもよい。この場合、前記寸法表示用シート３５は不要である。
【００４７】
前記メジャー部材３２は、外部延在部分３２ａを引っ張ってウエスト寸法に合わせる機能を有するため、伸縮性の小さい素材で構成することが好ましい。また、前記開口部３２ｂからの視認効果を明確にするため、開口部３２ｂ以外の目盛り３６が外側から透けて見えないように、不透明性の高い素材で構成することが好ましい。さらに、１０Ｎ／５０ｍｍで引張った時のおむつ周方向の伸びが３％以下であると、測定寸法の誤差が小さくなるため好ましい。
【００４８】
他のウエスト寸法の測定手段として、図１０に示されるように、メジャー部材３２のおむつ周方向に沿って、目盛り線、文字及び／図形の内のいずれか又は組合せなどからなる目盛り３６が備えられ、前記メジャー部材３２の外部延在部分３２ａとウエストバンド３１への挿入部分との境界位置において、着用者のウエスト寸法に応じた目盛り３６を読み取る手段とすることもできる。この場合、前述のウエスト寸法の測定手段（図１及び図９）のように、メジャー部材３２に開口部３２ｂを設ける必要がなく、寸法表示用シート３５を設ける必要もない。
【００４９】
ところで、前記メジャー部材３２は、おむつ着用時のウエスト寸法測定後に、邪魔にならないよう、おむつ１の外面に対して接合可能とすることが好ましい。具体的には、図１に示されるように、メジャー部材３２の外部延在部分３２ａに、おむつ外面に対して脱着可能な接合手段３２ｃを設けるようにする。前記接合手段３２ｃは、メカニカルファスナーやホットメルトなどの粘着剤層などとすることができる。
【００５０】
他方、前記メジャー部材３２は、おむつ着用時のウエスト寸法測定後に、邪魔にならないよう、取り外し可能に取り付けられるようにすることもできる。取り外し可能とするには、メジャー部材３２の前記固定部３４をヒートシールやホットメルトなどの接合手段とし、この固定部３４から引きちぎることができるようにすることができる。さらに、メジャー部材３２の中間部にミシン目を形成しておき、このミシン目から破ることにより、取り外し可能としてもよい。
【００５１】
あるいは、メジャー部材３２の外部延在部分３２ａを取り外し可能（破り取ることができる）とすることもできる。破り取ることができるようにするためには、メジャー部材３２に、おむつ周方向の強度は強いが、おむつ長手方向には引き裂きやすい素材を用いるとよい。具体的には、おむつ周方向の引張り強度が３０Ｎ／５０ｍｍ以上、おむつ長手方向の引き裂き強度が５Ｎ以下のものが適当である。
【００５２】
上述の構成からなる測定構造３０を組み立てるには、ギャザー押さえシート２１Ａの折り返し部２１Ａ’をウエスト開口部ＷＯから延出させた状態で、外装シート２０の前身頃Ｆと後身頃Ｂとを両側部のサイドシール部４０、４０において接合した後、必要に応じて寸法表示用シート３５をバックシート２１Ｂの非肌面側に接合し、折り返し部２１Ａ’をバックシート２１Ｂの非肌面側に折り返して、この折り返し部２１Ａ’の上下部をおむつ周方向に沿う接合部３３、３３で接合して周方向に開口するウエストバンド３１を形成する。その後、ウエストバンド３１の一方側の開口部からメジャー部材３２を内部に挿入し、他方側の開口部においてウエストバンド３１とともにメジャー部材３２の一端をヒートシールやホットメルトなどの接合手段によって接合する。
【００５３】
本おむつ１は、図１１に示されるように、おむつ装着後、メジャー部材３２の外部延在部分３２ａを引っ張っておむつのウエスト部を着用者の腹周りにフィットさせることにより、着用者のウエスト寸法が容易に測定できる。このため、おむつを着用するたびにウエスト寸法が簡単に把握でき、おむつのサイズ選びが容易となる。
【００５４】
また、このように着用者のウエスト寸法に適合したサイズのおむつが選定できるため、おむつサイズの選定ミスによる漏れやズレを防止でき、おむつ本来の機能が発揮できるようになる。
【００５５】
さらに、メジャー部材３２の外部延在部分３２ａに、おむつ外面に対して着脱可能な接合手段３２ｃが設けられているため、着用者のウエスト寸法測定後にメジャー部材３２をおむつ外面に接合させることにより、ウエスト部のフィット性が向上し、ウエスト周りからの漏れが確実に防止できるようになる。また、着用中にメジャー部材３２が邪魔になることがなくなる。
【００５６】
〔第２形態例〕
次に、第２形態例に係る測定構造３０は、上記第１形態例と比較して、ウエストバンド３１の構成が異なっている。具体的には、図１２に示されるように、前記ウエストバンド３１は、外装シート２０の前身頃Ｆに対して非肌面側のウエスト部に、おむつ周方向に沿って帯状の不織布３７を配設し、その上下部をそれぞれおむつ周方向に沿って接合して形成されている。前記帯状の不織布３７は、その上端がウエスト開口部ＷＯに配されるとウエスト部の肌ざわりが悪化するため、外装シート２０のウエスト開口部ＷＯを肌面側に折り返す位置まで延在させることが好ましい。
【００５７】
本第２形態例に係る測定構造３０は、図１２に示されるように、バックシート２１Ｂがウエスト開口部ＷＯからギャザー押さえシート２１Ａの肌面側に折り返された構造の従来型のおむつにも適用することができる。なお、その他の構造（メジャー部材３２、寸法表示用シート３５、目盛り３６など）については、上記第１形態例と同様である。
【００５８】
〔他の形態例〕
(1)上記形態例では、外装シート２０は、ギャザー押さえシート２１Ａ及びバックシート２１Ｂが、ホットメルト接着剤などにより接着された２層構造の不織布シートとしたが、この構造には特にこだわらず、公知の外装シートの構造を任意に採用することができる。
(2)上記形態例では、測定構造３０が前身頃Ｆに設けられるようにしたが、後身頃Ｂに設けられるようにしてもよい。
【符号の説明】
【００５９】
１…パンツ型使い捨ておむつ（おむつ）、１０…吸収性本体、１１…表面シート、１２…裏面シート、１３…吸収体、１４…被包シート、１５…ギャザー不織布、１６〜１８…糸状弾性伸縮部材、２０…外装シート、２１Ａ…ギャザー押さえシート、２１Ｂ…バックシート、２３…ウエスト部、２４…ウエスト部弾性伸縮部材、２５…胴周り部、２６…腰回り弾性伸縮部材、２９…脚周りライン、３０…測定構造、３１…ウエストバンド、３２…メジャー部材、３３…接合部、３４…固定部、３５…寸法表示用シート、３５…目盛り、３７…帯状不織布、４０…サイドシール部、ＬＯ…レッグ開口部、ＷＯ…ウエスト開口部
【図１】
2010194229.tif 000003
【図２】
2010194229.tif 000004
【図３】
2010194229.tif 000005
【図４】
2010194229.tif 000006
【図５】
2010194229.tif 000007
【図６】
2010194229.tif 000008
【図７】
2010194229.tif 000009
【図８】
2010194229.tif 000010
【図９】
2010194229.tif 000011
【図１０】
2010194229.tif 000012
【図１１】
2010194229.tif 000013
【図１２】
2010194229.tif 000014